(57)【要約】      （修正有）【課題】透湿・耐水性を有する易引裂性複合層構造を提供する。【解決手段】透湿・耐水性を有する易引裂性複合層構造に係わるもので、主として三つの基材層２、３、４及び二つの表面処理層５、６を含む。二つの表面処理層５、６はそれぞれ三つの基材層２、３、４の間に配置され、三つの基材層２、３、４のうちの少なくとも二つの基材層２、４はそれぞれ複数の微細な貫通孔２１、４１を含み、表面処理層５、６は放電処理、印刷処理、離型処理及び／又は塗布処理等の処理によって表面処理されたものである。基材層２、４に複数の微細な貫通孔２１、４１が設けられることによって、引裂き易いようにし、且つ透湿・耐水の効果を兼ね備えることができる。【選択図】図２
0003203717.tif 000002
【実用新案登録請求の範囲】
【請求項１】
少なくとも三つの基材層と、
前記少なくとも三つの基材層の間に配置された少なくとも二つの表面処理層と
を含む易引裂性複合層構造であって、
前記少なくとも三つの基材層のうちの少なくとも二つの基材層はそれぞれ複数の微細な貫通孔を含み、
前記少なくとも二つの表面処理層は、放電処理、印刷処理、離型処理及び塗布処理からなる群から選ばれる少なくとも一種の処理により表面処理されたものである、透湿耐水性を有する易引裂性複合層構造。
【請求項２】
前記少なくとも二つの表面処理層の各々は、前記少なくとも三つの基材層と隣接した二つの表面のうちの少なくとも一つの表面が表面処理された、請求項１に記載の透湿耐水性を有する易引裂性複合層構造。
【請求項３】
前記少なくとも三つの基材層の少なくとも一つの基材層は、幅がほかの基材層と異なる、請求項２に記載の透湿耐水性を有する易引裂性複合層構造。
【請求項４】
前記少なくとも三つの基材層は第１の基材層、第２の基材層及び第３の基材層を含み、
前記第２の基材層及び前記第３の基材層は幅が同じであり、
前記第１の基材層は前記第２の基材層及び前記第３の基材層より幅が広い、請求項３に記載の透湿耐水性を有する易引裂性複合層構造。
【請求項５】
前記第１の基材層及び前記第３の基材層はそれぞれ前記複数の微細な貫通孔を含む、請求項４に記載の透湿耐水性を有する易引裂性複合層構造。
【請求項６】
微細な貫通孔の各々の径は０．００４μｍ〜１００μｍである、請求項５に記載の透湿耐水性を有する易引裂性複合層構造。
【請求項７】
前記複数の微細な貫通孔は、１０，０００個／ｉｎｃｈ２を超える分布密度を有する、請求項６に記載の透湿耐水性を有する易引裂性複合層構造。
【請求項８】
前記少なくとも二つの表面処理層のうちの一つの表面処理層は１５μｍの厚さを有する固形ゲル化層を含み、前記固形ゲル化層が第３の基材層の表面に配置され、前記第３の基材層の透湿度は５００〜１５００ｇ／（ｍ２・ｄａｙ）である、請求項７に記載の透湿耐水性を有する易引裂性複合層構造。
【請求項９】
前記第１の基材層は高分子フィルムまたは金属箔からなり、前記第２の基材層は紙、布またはフォームからなり、前記第３の基材層は高分子薄膜からなる、請求項８に記載の透湿耐水性を有する易引裂性複合層構造。
【考案の詳細な説明】
【技術分野】
【０００１】
本考案は透湿性・耐水性（ｗａｔｅｒ  ｒｅｓｉｓｔａｎｔ）を有する易引裂複合層構造に関し、特にパッケージ、束ね、粘着、貼り付け又はラッピングに適用する複合層構造に関する。
【背景技術】
【０００２】
よくある一般的なテープを例として挙げると、従来技術に、たとえば、台湾特許公告第２５５２８６号の「省力、安全（刀を必要としない切断台）のパッケージ・封緘用テープ」、及び台湾特許公告第３７９６５１号の「省力、安全（刀を必要としない切断台）のパッケージ・封緘用テープ追加一」など、刀を必要としない易引裂テープが多様に開示されている。しかし、前記二つの特許文献は、いずれもテープの幅方向に細長い又は丸い切れ目又は切り込みが形成されることにより、ユーザーが前記切れ目又は切り込みのいずれかに沿ってテープを切断できるようにし、易引裂性を図るものである。
【０００３】
しかしながら、前記二つの特許文献は、その切り目の方向又は切り込みの位置が決まっているため、引裂く方向又は長さが決まっている。その方向又は長さは、ユーザーの需要に応じて調整したり、引き裂いたりできない。しかも、前記二つの特許文献は透湿・耐水などの効果を発揮できない。
【０００４】
また、米国特許公告第ＵＳ  ８，２４７，０５７  Ｂ２号の「カバーテープとその製造方法（Ｃｏｖｅｒ  ｔａｐｅ  ａｎｄ  ｍｅｔｈｏｄ  ｆｏｒ  ｍａｎｕｆａｃｔｕｒｅ）」にも、易引裂テープが開示されている。その易引裂テープは、その縦方向に引裂可能な部位が伸びて、レーザー、ダイカッター又はブレードにより切り込みを形成し、該切り込みにより易引裂の特性をもたらせる。ところが、前記と同様に、引裂線は引裂可能な部位に沿うものであるので、引裂く方向及び長さは決まっている。しかも透湿及び耐水などの効果を達成できる技術手段もない。
【０００５】
更に、通気性テープとして、台湾特許公開第２０１０２６２８９号に「医療用通気テープとその製造方法」が開示されている。それは通気下地層に不織布、綿布又は貫通孔を有するナイロン生地を使用するので、通気、透湿などの効果を有するのは間違いない。しかし、布の下地層は、更なる加工処理が行われる前に、耐水性を持てない。しかも、防水処理後、かえって通気性に悪影響を与えることはよくある。また、布を下地層とすると、引裂きにくくなるのが一般的である。その場合、ほかの手段に頼らなければならない。
【０００６】
そして、通気可能で通液不可能の技術として、例えば、欧州特許第ＥＰ  ０  ９００  ５７１  Ｂ１号「通気性で、流体不透過性のバリア構造物及び、それらから製造された製品（Ａｉｒ  ｐｅｒｍｅａｂｌｅ，  ｌｉｑｕｉｄ  ｉｍｐｅｒｍｅａｂｌｅ  ｂａｒｒｉｅｒ  ｓｔｒｕｃｔｕｒｅｓ  ａｎｄ  ｐｒｏｄｕｃｔｓ  ｍａｄｅ  ｔｈｅｒｅｆｒｏｍ）」が例として挙げられる。それは、衛生ナプキン、パンティライナー、失禁用製品、おむつ、外科手術用包帯及び寝台用下敷パッドのような衛生保護製品に関する。ただし、前記特許文献では、不織布、織った布、孔あきフィルム及び／又は非網状のフォームを細孔質の支持体とすると共に、粒子を細孔質の支持体の少なくとも一方の面に融着させることにより、体液（例えば尿、汗及び月経液）によるバリヤーの透過に抵抗しながら、空気及び水蒸気を自由に通過させるように構成されている。これにより、前記と同様に、この従来技術では、易引裂効果を達成できない。方向性及び長さの制限がなく、任意に引き裂くことができないのは、言うまでもない。
【先行技術文献】
【特許文献】
【０００７】
【特許文献１】台湾特許公告第２５５２８６号
【特許文献２】台湾特許公告第３７９６５１号
【特許文献３】米国特許公告第ＵＳ  ８，２４７，０５７  Ｂ２号
【特許文献４】台湾特許公開第２０１０２６２８９号
【特許文献５】欧州特許第ＥＰ  ０  ９００  ５７１  Ｂ１号
【考案の概要】
【考案が解決しようとする課題】
【０００８】
これにより、方向性のなく、任意に引き裂くことができ、そして透湿特性、耐水特性を備え、引き裂きやすい易引裂複合層構造は、業界及び人々が切実に必要としているものである。
【０００９】
本考案は、透湿・耐水性を兼ね備え、使用者の必要に応じて、方向性の制限がなく容易に引裂き切断することができる透湿耐水性を有する易引裂性複合層構造を提供することを主要な目的とする。
【考案の効果】
【００１０】
本考案によれば、透湿・耐水性を有する易引裂性複合層構造を得ることができる。
【課題を解決するための手段】
【００１１】
前記の目的を達成するために、本考案は、少なくとも三つの基材層と、少なくとも三つの基材層の間に配置された少なくとも二つの表面処理層とを主に含む透湿耐水性を有する易引裂性複合層構造であって、少なくとも三つの基材層のうちの少なくとも二つの基材層はそれぞれ複数の微細な貫通孔を含み、少なくとも二つの表面処理層は、放電処理、印刷処理、離型処理及び塗布処理からなる群から選ばれる少なくとも一種の処理により表面処理されたものである、透湿耐水性を有する易引裂性複合層構造である。
【００１２】
これによって、本考案は、基材層に複数の微細な貫通孔が設けられることにより、もともと引裂き不可能な又は引裂き難い基材層が引き裂かれやすいようにすることができるし、基材層は透湿・耐水の効果を兼ね備えることができる。そのほか、本考案において、少なくとも二つの表面処理層が表面処理されるほかに、基材層も実際な必要に応じて異なる表面処理されることによって異なる特性を有することができる。例えば、放電処理によっては基材層の表面が粗化され、印刷処理によっては基材層にパターン及び／又は文字が形成され、離型処理によっては基材層が容易に剥離され、塗布処理によっては基材層が粘着力を有することになる。当然、本考案はただ一つの表面処理に限らず、基材層には多種の表面処理がされることによって多種の特性を有することができる。
【００１３】
好ましくは、本考案は、少なくとも二つの表面処理層の各々は、少なくとも三つの基材層と隣接した二つの表面のうちの少なくとも一つの表面が表面処理された、透湿耐水性を有する易引裂性複合層構造である。即ち、本考案は、基材層の表面に表面処理例えば放電処理がされて表面処理層になる。なお、本考案はこれに限らず、基材層の表面に別に離型処理、印刷処理及び塗布処理などの表面処理がされた表面処理層が形成されることによって、異なる特性を与えることができる。
【００１４】
更に、本考案は少なくとも三つの基材層の少なくとも一つの基材層は、幅がほかの基材層と異なる、透湿耐水性を有する易引裂性複合層構造である。これによって、本考案は、剥がし易くなり、又はロール状に巻き回した際に巻き崩れ難くなる。少なくとも三つの基材層は第１の基材層、第２の基材層及び第３の基材層を含み、第２の基材層及び第３の基材層は幅が同じであり、第１の基材層は第２の基材層及び第３の基材層より幅が広い。
【００１５】
更に、本考案は、第１の基材層及び第３の基材層はそれぞれ複数の微細な貫通孔を含み、微細な貫通孔の各々の径は０．００４μｍ〜１００μｍであり、かつ複数の微細な貫通孔は１０，０００個／ｉｎｃｈ２を超える分布密度を有する、透湿耐水性を有する易引裂性複合層構造である。これによって、本考案は微細な貫通孔の径の大きさを設定することにより、水蒸気を順調に放出することができ且つ水が浸透しない。そのほか、基材層に微細な貫通孔が設けられ且つ微細な貫通孔の分布密度を設定することにより、基材層は方向性の制限がなく引き裂かれ易くなり、且つ透湿性を向上させることができる。
【００１６】
更に、本考案は、少なくとも二つの表面処理層のうちの一つの表面処理層は１５μｍの厚さを有する固形ゲル化層を含み、固形ゲル化層が第３の基材層の表面に配置され、第３の基材層の透湿度は５００〜１５００ｇ／（ｍ２・ｄａｙ）である、透湿耐水性を有する易引裂性複合層構造。これによって、本考案は固形ゲル化層で第３の基材層に粘着性を与えることで貼り付けを容易にする。
【００１７】
更に、本考案は、第１の基材層は高分子フィルムまたは金属箔からなり、第２の基材層は紙、布またはフォームからなり、第３の基材層は高分子フィルムからなる、透湿耐水性を有する易引裂性複合層構造である。第１の基材層と第３の基材層は、引き裂き難しい又は引き裂き不可能な材質であって、穿孔されることによって方向性の制限のない易引裂の特性を有することができる。
【図面の簡単な説明】
【００１８】
【図１】本考案の第１の実施形態を示す斜視図である。
【図２】本考案の第１の実施形態のＡ−Ａ線に沿う断面図である。
【図３】図３の（Ａ）〜（Ｄ）は本考案の第１の実施形態の使用方式を示す断面図である。
【図４】本考案の第２の実施形態を示す断面図である。
【図５】本考案の第２の実施形態の使用状態を示す模式図である。
【考案を実施するための最良の形態】
【００１９】
以下、本考案の透湿・耐水性を有する易引裂性複合層構造の実施形態について詳しく描写する。なお、以下の説明では、類似又は同一の素子には同じ符号によって表示される。
【００２０】
[実施形態１]
図１及び図２を同時に参照し、図１は本考案の第１の実施形態を示す斜視図であり、図２は図１のＡ−Ａ線に沿う断面図である。以下、説明としての第１の実施形態はテープ１を例として挙げて説明する。第１の実施形態は、特に透湿・耐水等の需要があるもの、例えば人体や動物、植物（例えば傷口を覆うこと、農産品の包裝）などに貼り付くことに適用するものである。但し、本考案は上述の用途に限らず、透湿・耐水の需要があるものであれば、幅広く応用することができる。
【００２１】
図に示すように、本実施形態のテープ１は、第１の基材層２、第１の表面処理層５、第２の基材層３、第２の表面処理層６及び第３の基材層４が上から下までこの順に積層されてなる三つの基材層と二つの表面処理層とを実質的に含む。そのうち、第１の基材層２と第３の基材層４は高分子フィルムからなり、高分子フィルムとしては、例えば、ナイロンフィルム（ｎｙｌｏｎ  ｆｉｌｍ）、ポリビニルアルコールフィルム（ｐｏｌｙｖｉｎｙｌ  ａｌｃｏｈｏｌ  ｆｉｌｍ，ＰＶＡ  ｆｉｌｍ）、ポリエステルフィルム（ｐｏｌｙｅｓｔｅｒ  ｆｉｌｍ）、ポリエチレンテレフタレートフィルム（ｐｏｌｙｅｔｈｙｌｅｎｅ  ｔｅｒｅｐｈｔｈａｌａｔｅ  ｆｉｌｍ，ＰＥＴ  ｆｉｌｍ）、ポリプロピレンフィルム（ｐｏｌｙｐｒｏｐｙｌｅｎｅ  ｆｉｌｍ，ＰＰ  ｆｉｌｍ）、ポリエチレンフィルム（ｐｏｌｙｅｔｈｙｌｅｎｅ  ｆｉｌｍ，ＰＥ  ｆｉｌｍ）、ポリカーボネートフィルム（ｐｏｌｙｃａｒｂｏｎａｔｅ  ｆｉｌｍ，ＰＣ  ｆｉｌｍ）、ポリスチレンフィルム（ｐｏｌｙｓｔｙｒｅｎｅ  ｆｉｌｍ，ＰＳ  ｆｉｌｍ）、ポリスルホンフィルム（ｐｏｌｙｓｕｌｆｏｎｅ  ｆｉｌｍ）、ポリイミドフィルム（ｐｏｌｙｉｍｉｄｅ  ｆｉｌｍ，ＰＩ  ｆｉｌｍ）及びポリ塩化ビニルフィルム（ｐｏｌｙｖｉｎｙｌ  ｃｈｌｏｒｉｄｅ  ｆｉｌｍ，ＰＶＣ  ｆｉｌｍ）などが挙げられる。第２の基材層３は紙からなり、その理由は紙が易引裂性の特性を持ち、かつ隔離と支持効果の優れたため、視認しやすくて巻回しやすいである。
【００２２】
また、本実施形態では、第１の表面処理層５及び第２の表面処理層６は塗布処理され、即ちゲル化層が塗布される。例えば、ＰＵ接着剤、アクリル接着剤、または同じ効果を奏する他の接着剤などが塗布され、固形ゲル化層が形成され、粘着性が付与された。但し、本考案の言及された表面処理は塗布処理のみに限るべきものではなく、他の処理により表面処理されても良い。例えば、基材層の表面を粗化することで付着し易く・塗布し易くするため、塗布処理の前に先に放電処理され、または剥がし易くするため、基材層の表面に離型処理がされることができる。
【００２３】
更に、本実施形態の第１の基材層２及び第３の基材層４がそれぞれに、圧着パンチングプロセスまたはレーザーパンチングプロセスにより形成される複数の微細な貫通孔２１、４１を有する。これらにより、もともと引き裂けない、或いは引き裂き難い基材層を引き裂き易いことになり、しかも孔径が０．００４μｍ〜１００μｍであり、微細な貫通孔２１、４１は１０，０００個／ｉｎｃｈ２の分布密度を有する。それは、通常の水蒸気の直径は０．００４μｍ程度で、雨滴の直径は１００μｍまでの程度であるのため、人体から発散した湿気や通常の水蒸気がフィルム上の微細な貫通孔２１、４１を通して散逸することができ、一方、孔径が雨滴の直径よりも小さくとしたため、一般には水でさえ直接的に浸透することができない。そのほか、本実施形態では、微細な貫通孔２１、４１は高い分布密度を有するに形成されたので、透湿性が極めて良いのみならず、方向性や大きさ、形の制限がなく、使用者により任意に引き裂くことができる。
【００２４】
また、図２に示すように、本実施形態では、第２の基材層３及び第３の基材層４の幅が同じく４ｃｍにし、第１の基材層２の幅が５ｃｍで、第２の基材層３及び第３の基材層４よりも大きい。これにより、剥がし易い特性とロール状に巻き回した際に巻き崩れにくいなどの特性を与える他、本実施形態の使用方式にも利便性を提供することについて、後述に譲れたい。
【００２５】
更に、第１の表面処理層５及第２の表面処理層６の固形ゲル化層の厚さが第１の基材層２と第３の基材層４との透湿性に影響を及ぼす。換言すれば、透湿性は、複数の微細な貫通孔２１、４１の孔径が固形ゲル化層の厚さで調整することにより変わる。本実施形態を例として、塗布する前に、第３の基材層４の透湿度が１５００〜３０００ｇ／（ｍ２・Ｄａｙ）であり、一方の表面に厚さが１５μｍの固形ゲルを塗布した後、透湿度が５００〜１５００ｇ／（ｍ２・Ｄａｙ）をなった。なお、本実施形態の透湿度は、日本工業規格（ＪＩＳ）  Ｌ  １０９９Ａ１に規定された方法に従って測定した。
【００２６】
次に図３の（Ａ）〜（Ｄ）を参照して説明する。図３の（Ａ）〜（Ｄ）は本考案第１の実施形態の使用方式を示す断面図である。まず、図３の（Ａ）に示すように、第１の基材層２を剥がし、第１の基材層２の下表面の第１の表面処理層５は同じく固形ゲル化層である。次に、図３の（Ｂ）に示すように、第１の基材層２を第３の基材層４の下表面に貼り、即ち第１の表面処理層５を第３の基材層４に貼り付くことである。第１の基材層２の幅が広いので、時間をかけて第１の表面処理層５を第３の基材層４に位置合わせする必要が無く、何らの支障も無く第３の基材層４に貼り付くことができる。続いて、図３の（Ｃ）に示すように、第２の基材層３を取り除いて第３の基材層４の第２の表面処理層６を例えば、人体の皮膚といった貼り付かれる領域（図示せず）に貼り付く。最後に、図３の（Ｄ）に示すように、第１の基材層２を第１の表面処理層５とともに取り除き、第３の基材層４だけが残されることとなる。
【００２７】
[実施形態２]
図４及び図５を同時に参照して説明する。図４は本考案の第２の実施形態を示す断面図であり、図５は本考案の第２の実施形態の使用状態を示す模式図である。第２の実施形態において第３の基材層４と第２の表面処理層６との間に第３の表面処理層７を更に有することについて、第１の実施形態とは違う。第３の表面処理層７は文字、パターンまたはその組み合わせを含む印刷層である。これらにより人体の皮膚に貼り付くことのできるタトゥーシール８が構成される。しかしながら、本考案の第３の表面処理層７は第３の基材層４と第２の表面処理層６との間に位置することに限らず、図４に示すように第３の基材層４の下表面に形成されても良い。しかも印刷のものに限らず、手書きや落書きのものにしても良い。これによれば、本考案のタトゥーシールは、一般の裝飾シールに比べると、透湿・耐水等の特性を更に備え、シール自体の存在をほとんど感じない。
【００２８】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その特許権保護の範囲は、特許請求の範囲および、それと均等な領域を基準として定めなければならない。
【符号の説明】
【００２９】
１…テープ
２…第１の基材層
２１、４１…微細な貫通孔
３…第２の基材層
４…第３の基材層
５…第１の表面処理層
６…第２の表面処理層
７…第３の表面処理層
８…タトゥーシール
【図１】
0003203717.tif 000003
【図２】
0003203717.tif 000004
【図３】
0003203717.tif 000005
【図４】
0003203717.tif 000006
【図５】
0003203717.tif 000007